(57)【要約】【課題】本発明は事務室のインテリジェント省エネルギースイッチ制御器を開示した。    【解決手段】壁主体と、スイッチと、プラグと、二つの電灯とを含み、前記壁主体の中には前記スイッチが長時間のオン状態におくと自動的に切られることができるスイッチ機構が設置され、事務室の電気を節約する目的を達成し、前記壁主体の中には装置全体の運行に動力を提供する駆動機構が設置され、該装置は事務室に人がいない時に電気がつく場合、自動的に電源を切って、電気使用量をはるかに節約し、これにより省エネルギーの目的を達成し、しかも自動的に且つ選択的に部分の区域のライトを消すことができ、これにより電気を節約でき、機械の伝動により作業の効率を向上させる。【選択図】図１
2020198286.tif 000002
【特許請求の範囲】
【請求項１】
正面視で、壁主体と、スイッチと、プラグと、二つの電灯とを含み、前記壁主体の中には前記スイッチが長時間のオン状態におくと自動的に切られることができるスイッチ機構が設置され、事務室の電気を節約する目的を達成し、
前記壁主体の中には装置全体の運行に動力を提供する駆動機構が設置され、前記駆動機構が異なる区域のライトのスイッチを制御でき、これにより人がいないところのライトを自動的に消すことに便利を与え、前記壁主体の中には駆動チャンバが設置され、前記駆動チャンバの左端壁には前記モータが固定され、前記モータの右端には前記駆動軸が動力が伝達できるように連結され、前記駆動軸には前記摩擦輪がスライドできるように連結され、前記摩擦輪の左右端面にはいずれも前記駆動チャンバに連通している楕円溝が設置され、前記楕円溝の片側端面には前記電磁石が固定され、前記楕円溝の中にはまた前記電磁石と吸引し合うことができる前記磁石が設置され、前記駆動チャンバの中にはまた二つの前記持ち上げブロックが設置され、前記持ち上げブロックの上端には前記ひもが固定され、前記ひもの中には前記駆動チャンバに連通している前記リミット溝が設置され、前記駆動チャンバの中にはまた前記連結輪が設置され、前記連結輪の中には貫通孔が設置され、前記駆動軸の右端が前記貫通孔の中に位置しており、且つ前記貫通孔と固定的に連結され、前記貫通孔の中にはまた前記連結ブロックが設置され、前記壁主体の右端面には前記電磁石と前記モータとを制御して作動させることができる前記センサーが嵌められるように設置され、前記摩擦輪の上端と前記駆動チャンバの下端壁にはいずれも前記固定ブロックが固定され、前記摩擦輪の回転と磁石の伝動により前記持ち上げブロックと前記ロープの移動を制御し、これにより部分のライトの開閉を制御し、
前記駆動チャンバの下端壁の中にはコンセント機構が設置され、退勤した場合又は事務室に人がいない場合、前記スイッチ機構が全部のライトを消すと同時に、前記コンセント機構が自動的に前記プラグと前記コンセント機構との連結を断ち、前記プラグを抜き忘れることを避け、
前記駆動チャンバの中にはまた前記駆動機構が生じた動力を前記スイッチ機構と前記コンセント機構とに伝送できる伝動機構が設置され、これにより同時に前記スイッチ機構と前記コンセント機構とを制御して作動させる目的を達成することを特徴とする請求項１に記載の事務室のインテリジェント省エネルギースイッチ制御器。
【請求項２】
前記駆動機構はまた二つの電磁石を含み、前記楕円溝の片側端面には前記電磁石が固定され、前記壁主体の右端面には前記電磁石と前記モータを制御して作動させることができるセンサーが植設されていることを特徴とする請求項１に記載の事務室のインテリジェント省エネルギースイッチ制御器。
【請求項３】
前記伝動機構は伝動軸を含み、前記駆動チャンバの右端壁には左端が前記貫通孔の中に位置している前記伝動軸が回転できるように連結され、前記伝動軸の左端の中には前記貫通孔に連通しているスライド溝が設置され、前記連結ブロックの一端が前記スライド溝の中に位置しており、前記駆動チャンバの中にはまた前記伝動軸とスライドできるように連結された前記スライドブロックが設置され、前記スライドブロックの中には前記スライドブロックを貫通している昇降溝が設置され、前記昇降溝の左右端壁の中にはいずれも前記駆動チャンバと前記昇降溝の中とを連通しているばね溝が設置され、前記昇降溝の中には前記ネジ山ブロックが設置され、前記ばね溝の中には一端が前記ネジ山ブロックと連結されている前記ばねブロックと、前記ばねブロックを復帰させることができる前記伸縮ばねとが設置され、前記駆動チャンバの右端壁には一端が前記スライドブロックと連結されている前記復帰ばねが固定され、前記駆動チャンバの上端壁には下方へ開口した前記昇降チャンバと貫通チャンバとが設置され、前記駆動チャンバの上端壁の中にはまた摩擦溝が設置され、前記摩擦溝の中には前記摩擦ブロックが設置され、前記摩擦ブロックの左端には前記鎖が固定され、前記昇降チャンバの中には前記昇降板と、前記昇降板を復帰させることができる二つの前記昇降ばねとが設置され、前記鎖の左端が前記昇降チャンバの上端壁を貫通しており、且つ前記昇降板と連結され、前記昇降板の中には下方へ開口したリミットチャンバが設置され、前記リミットチャンバの中には前記リミットブロックが設置され、前記リミットブロックの中には下端が前記駆動チャンバの中に位置している前記連結柱が設置され、前記連結柱の下端には右端が左側の前記ばね溝の中に位置しており、且つ左側の前記ばねブロックと連結されている前記連結ロッドが固定されていることを特徴とする請求項１に記載の事務室のインテリジェント省エネルギースイッチ制御器。
【請求項４】
前記スイッチ機構は通電板と、二つの通電柱と、二つの電源線と、二つの第一通電線と、二つの第二通電線と、二つの導電線と、二つの圧縮ばねと、二つの持ち上げ板と、固定板と、二つの推し動かしロッドと、二つの推し動かしブロックと、推し動かし板と、従動ギヤと、従動軸と、Ｌロッドと、制限ばねとを含み、前記壁主体の中には右方へ開口しており、且つ前記貫通孔と前記摩擦チャンバと連通している前記回転チャンバが設置され、前記回転チャンバの左端壁には前記固定板が固定され、前記固定板の右端には前記スイッチがヒンジにより連結され、前記固定板の上下両側にはいずれも前記推し動かしブロックが設置され、下側の前記推し動かしブロックの下端が前記摩擦ブロックと摩擦により連結され、前記推し動かしブロックの中には下方へ開口しており、且つ前記貫通チャンバに連通している押し出し溝が設置され、前記押し出し溝の中には下端が前記貫通チャンバの中に位置している前記Ｌロッドと、前記Ｌロッドを復帰させることができる前記制限ばねとが設置され、上側の前記推し動かしブロックの左端には前記推し動かし板が固定され、前記回転チャンバの前後端壁の間には前記従動軸が回転できるように連結され、前記従動軸には前記推し動かし板と噛み合うように連結されている前記従動ギヤが固定され、前記推し動かしブロックの左端には前記推し動かしロッドが固定され、且つ上側の前記推し動かしロッドが前記従動ギヤと噛み合うように連結され、前記回転チャンバの左端壁の中には移動チャンバが設置され、前記移動チャンバの中には前記通電板が設置され、前記推し動かしロッドの左端が前記移動チャンバの中に位置しており、且つ下側の前記推し動かしロッドの左端が前記通電板と固定的に連結され、前記通電板の左端面には二つの前記通電柱が固定され、前記移動チャンバの左端壁の中には二つの前記電源線が設置され、前記電灯の上側には前記電源線に連通している一つの前記第一通電線が設置され、前記壁主体の中にはまた二つの持ち上げチャンバが設置され、前記持ち上げチャンバの下端壁には前記電灯に連結されている前記第二通電線が設置され、前記持ち上げチャンバの中には前記持ち上げ板と、前記持ち上げ板を復帰させることができる前記圧縮ばねとが設置され、前記ひもの上端が前記持ち上げチャンバの上端壁を貫通しており、且つ前記持ち上げ板と連結され、前記持ち上げ板にはまた前記電源線に連通している前記導電線が設置されていることを特徴とする請求項１に記載の事務室のインテリジェント省エネルギースイッチ制御器。
【請求項５】
前記コンセント機構はコンセントと、二つの絶縁ロッドと、水平移動板と、水平移動ロッドと、水平移動柱と、固定環状板と、スライド環状板と、連結ばねと、細ひもと、駆動ブロックと、駆動ばねと、水平移動ばねとを含み、前記駆動チャンバの下端壁の中には右方へ開口した水平移動チャンバが設置され、前記水平移動チャンバの中には前記プラグに差し込まれた前記コンセントが設置され、前記水平移動チャンバの中にはまた上端が前記駆動チャンバの中に位置している前記水平移動ロッドが設置され、前記水平移動チャンバの中には穴付きの前記水平移動板が設置され、前記水平移動ロッドの下端には右端が前記水平移動板を貫通しており、且つ前記水平移動板とスライドできるように連結されている前記水平移動柱が固定され、前記水平移動柱には前記固定環状板が固定され、且つ前記水平移動柱には前記スライド環状板がスライドできるように連結され、前記固定環状板と前記スライド環状板との間は前記連結ばねにより連結され、前記水平移動ロッドの中には上方へ開口した押し出しチャンバが設置され、前記押し出しチャンバの中には上端が前記伝動軸とネジ山により連結されている前記駆動ブロックと、前記駆動ブロックを復帰させることができる前記駆動ばねとが設置され、前記駆動ブロックの下端には下端が前記スライド環状板と連結されている前記細ひもが固定され、前記水平移動チャンバの左端壁には右端が前記水平移動ロッドと連結されている前記水平移動ばねが固定され、前記水平移動板の右端面には二つの前記絶縁ロッドが固定されていることを特徴とする請求項１に記載の事務室のインテリジェント省エネルギースイッチ制御器。
【請求項６】
前記摩擦輪と前記駆動軸との間の摩擦力が前記圧縮ばねの弾力よりはるかに大きいことを特徴とする請求項１又は請求項４に記載の事務室のインテリジェント省エネルギースイッチ制御器。
【請求項７】
初期状態において前記通電線と前記導電線とが通電している状態におくことを特徴とする請求項４に記載の事務室のインテリジェント省エネルギースイッチ制御器。
【請求項８】
二つの前記昇降ばねの弾力が二つの前記伸縮ばねの弾力よりはるかに大きいことを特徴とする請求項３に記載の事務室のインテリジェント省エネルギースイッチ制御器。
【発明の詳細な説明】
【技術分野】
【０００１】
本発明は省エネルギー分野を取り上げて、具体的には事務室のインテリジェント省エネルギースイッチ制御器である。
【背景技術】
【０００２】
現在、家庭の電気使用量が徐々に増え、電力の提供が日々厳しくなり、国家が段階制電気料金の政策を施し、人々に電気を節約することと、電気を合理的に使用することの重要性を認識させ、人々が退勤した後、勤め人が急いで出かけるため、いつも事務室の電気を消すことを忘れ、これにより事務室の電気が一晩中ついたまま、電力の浪費をもたらし、資源の節約に不利であり、また勤め人が事務室で残業する時、人が少ないのに、全部の電気をつけ、必要ではないところでも照明を提供し続けることは、すなわち電気エネルギーを浪費する。
【先行技術文献】
【特許文献】
【０００３】
【特許文献１】中国特許出願公開第１０３９０６３２６号明細書
【発明の概要】
【発明が解決しようとする課題】
【０００４】
本発明は事務室のインテリジェント省エネルギースイッチ制御器を提供し、電源を切ることを忘れて電気エネルギーを浪費する問題を解決し、省エネルギーの目的を達成する。
【課題を解決するための手段】
【０００５】
本発明は以下の技術プランによって実現される：
【０００６】
本発明は壁主体と、スイッチと、プラグと、二つの電灯とを含み、前記壁主体の中には前記スイッチが長時間のオン状態におくと自動的に切られることができるスイッチ機構が設置され、事務室の電気を節約する目的を達成し、
前記壁主体の中には装置全体の運行に動力を提供する駆動機構が設置され、前記駆動機構が異なる区域のライトのスイッチを制御でき、これにより人がいないところのライトを自動的に消すことに便利を与え、前記壁主体の中には駆動チャンバが設置され、前記駆動チャンバの左端壁には前記モータが固定され、前記モータの右端には前記駆動軸が動力が伝達できるように連結され、前記駆動軸には前記摩擦輪がスライドできるように連結され、前記摩擦輪の左右端面にはいずれも前記駆動チャンバに連通している楕円溝が設置され、前記楕円溝の片側端面には前記電磁石が固定され、前記楕円溝の中にはまた前記電磁石と吸引し合うことができる前記磁石が設置され、前記駆動チャンバの中にはまた二つの前記持ち上げブロックが設置され、前記持ち上げブロックの上端には前記ひもが固定され、前記ひもの中には前記駆動チャンバに連通している前記リミット溝が設置され、前記駆動チャンバの中にはまた前記連結輪が設置され、前記連結輪の中には貫通孔が設置され、前記駆動軸の右端が前記貫通孔の中に位置しており、且つ前記貫通孔と固定的に連結され、前記貫通孔の中にはまた前記連結ブロックが設置され、前記壁主体の右端面には前記電磁石と前記モータとを制御して作動させることができる前記センサーが嵌められるように設置され、前記摩擦輪の上端と前記駆動チャンバの下端壁にはいずれも前記固定ブロックが固定され、前記摩擦輪の回転と磁石の伝動により前記持ち上げブロックと前記ロープの移動を制御し、これにより部分のライトの開閉を制御し、
前記駆動チャンバの下端壁の中にはコンセント機構が設置され、退勤した場合又は事務室に人がいない場合、前記スイッチ機構が全部のライトを消すと同時に、前記コンセント機構が自動的に前記プラグと前記コンセント機構との連結を断ち、前記プラグを抜き忘れることを避け、
前記駆動チャンバの中にはまた前記駆動機構が生じた動力を前記スイッチ機構と前記コンセント機構とに伝送できる伝動機構が設置され、これにより同時に前記スイッチ機構と前記コンセント機構とを制御して作動させる目的を達成する。
【０００７】
更に、前記駆動機構はまた二つの電磁石を含み、前記楕円溝の片側端面には前記電磁石が固定され、前記壁主体の右端面には前記電磁石と前記モータを制御して作動させることができるセンサーが植設されている。
【０００８】
更に、前記伝動機構は伝動軸を含み、前記駆動チャンバの右端壁には左端が前記貫通孔の中に位置している前記伝動軸が回転できるように連結され、前記伝動軸の左端の中には前記貫通孔に連通しているスライド溝が設置され、前記連結ブロックの一端が前記スライド溝の中に位置しており、前記駆動チャンバの中にはまた前記伝動軸とスライドできるように連結された前記スライドブロックが設置され、前記スライドブロックの中には前記スライドブロックを貫通している昇降溝が設置され、前記昇降溝の左右端壁の中にはいずれも前記駆動チャンバと前記昇降溝の中とを連通しているばね溝が設置され、前記昇降溝の中には前記ネジ山ブロックが設置され、前記ばね溝の中には一端が前記ネジ山ブロックと連結されている前記ばねブロックと、前記ばねブロックを復帰させることができる前記伸縮ばねとが設置され、前記駆動チャンバの右端壁には一端が前記スライドブロックと連結されている前記復帰ばねが固定され、前記駆動チャンバの上端壁には下方へ開口した前記昇降チャンバと貫通チャンバとが設置され、前記駆動チャンバの上端壁の中にはまた摩擦溝が設置され、前記摩擦溝の中には前記摩擦ブロックが設置され、前記摩擦ブロックの左端には前記鎖が固定され、前記昇降チャンバの中には前記昇降板と、前記昇降板を復帰させることができる二つの前記昇降ばねとが設置され、前記鎖の左端が前記昇降チャンバの上端壁を貫通しており、且つ前記昇降板と連結され、前記昇降板の中には下方へ開口したリミットチャンバが設置され、前記リミットチャンバの中には前記リミットブロックが設置され、前記リミットブロックの中には下端が前記駆動チャンバの中に位置している前記連結柱が設置され、前記連結柱の下端には右端が左側の前記ばね溝の中に位置しており、且つ左側の前記ばねブロックと連結されている前記連結ロッドが固定されている。
【０００９】
更に、前記スイッチ機構は通電板と、二つの通電柱と、二つの電源線と、二つの第一通電線と、二つの第二通電線と、二つの導電線と、二つの圧縮ばねと、二つの持ち上げ板と、固定板と、二つの推し動かしロッドと、二つの推し動かしブロックと、推し動かし板と、従動ギヤと、従動軸と、Ｌロッドと、制限ばねとを含み、前記壁主体の中には右方へ開口しており、且つ前記貫通孔と前記摩擦チャンバと連通している前記回転チャンバが設置され、前記回転チャンバの左端壁には前記固定板が固定され、前記固定板の右端には前記スイッチがヒンジにより連結され、前記固定板の上下両側にはいずれも前記推し動かしブロックが設置され、下側の前記推し動かしブロックの下端が前記摩擦ブロックと摩擦により連結され、前記推し動かしブロックの中には下方へ開口しており、且つ前記貫通チャンバに連通している押し出し溝が設置され、前記押し出し溝の中には下端が前記貫通チャンバの中に位置している前記Ｌロッドと、前記Ｌロッドを復帰させることができる前記制限ばねとが設置され、上側の前記推し動かしブロックの左端には前記推し動かし板が固定され、前記回転チャンバの前後端壁の間には前記従動軸が回転できるように連結され、前記従動軸には前記推し動かし板と噛み合うように連結されている前記従動ギヤが固定され、前記推し動かしブロックの左端には前記推し動かしロッドが固定され、且つ上側の前記推し動かしロッドが前記従動ギヤと噛み合うように連結され、前記回転チャンバの左端壁の中には移動チャンバが設置され、前記移動チャンバの中には前記通電板が設置され、前記推し動かしロッドの左端が前記移動チャンバの中に位置しており、且つ下側の前記推し動かしロッドの左端が前記通電板と固定的に連結され、前記通電板の左端面には二つの前記通電柱が固定され、前記移動チャンバの左端壁の中には二つの前記電源線が設置され、前記電灯の上側には前記電源線に連通している一つの前記第一通電線が設置され、前記壁主体の中にはまた二つの持ち上げチャンバが設置され、前記持ち上げチャンバの下端壁には前記電灯に連結されている前記第二通電線が設置され、前記持ち上げチャンバの中には前記持ち上げ板と、前記持ち上げ板を復帰させることができる前記圧縮ばねとが設置され、前記ひもの上端が前記持ち上げチャンバの上端壁を貫通しており、且つ前記持ち上げ板と連結され、前記持ち上げ板にはまた前記電源線に連通している前記導電線が設置されている。
【００１０】
更に、前記コンセント機構はコンセントと、二つの絶縁ロッドと、水平移動板と、水平移動ロッドと、水平移動柱と、固定環状板と、スライド環状板と、連結ばねと、細ひもと、駆動ブロックと、駆動ばねと、水平移動ばねとを含み、前記駆動チャンバの下端壁の中には右方へ開口した水平移動チャンバが設置され、前記水平移動チャンバの中には前記プラグに差し込まれた前記コンセントが設置され、前記水平移動チャンバの中にはまた上端が前記駆動チャンバの中に位置している前記水平移動ロッドが設置され、前記水平移動チャンバの中には穴付きの前記水平移動板が設置され、前記水平移動ロッドの下端には右端が前記水平移動板を貫通しており、且つ前記水平移動板とスライドできるように連結されている前記水平移動柱が固定され、前記水平移動柱には前記固定環状板が固定され、且つ前記水平移動柱には前記スライド環状板がスライドできるように連結され、前記固定環状板と前記スライド環状板との間は前記連結ばねにより連結され、前記水平移動ロッドの中には上方へ開口した押し出しチャンバが設置され、前記押し出しチャンバの中には上端が前記伝動軸とネジ山により連結されている前記駆動ブロックと、前記駆動ブロックを復帰させることができる前記駆動ばねとが設置され、前記駆動ブロックの下端には下端が前記スライド環状板と連結されている前記細ひもが固定され、前記水平移動チャンバの左端壁には右端が前記水平移動ロッドと連結されている前記水平移動ばねが固定され、前記水平移動板の右端面には二つの前記絶縁ロッドが固定されている。
【００１１】
更に、前記摩擦輪と前記駆動軸との間の摩擦力が前記圧縮ばねの弾力よりはるかに大きい。
【００１２】
更に、初期状態において前記通電線と前記導電線とが通電している状態におく。
【００１３】
更に、二つの前記昇降ばねの弾力が二つの前記伸縮ばねの弾力よりはるかに大きい。
【発明の効果】
【００１４】
本発明の有益効果は：該装置は構成が簡単で、操作が便利で、該装置は事務室に人がいない時に電気がつく場合、自動的に電源を切って、電気使用量をはるかに節約し、これにより省エネルギーの目的を達成し、しかも自動的に且つ選択的に部分の区域のライトを消すことができ、これにより電気を節約でき、機械の伝動により作業の効率を向上させる。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の実施例の構成模式図
【図２】図２は本発明の実施例の摩擦輪の左側面拡大構成模式図
【図３】図３は本発明の実施例の連結輪のところの構成全断面の左側面拡大模式図
【図４】図４は本発明の実施例の駆動機構の局部断面の正面拡大構成模式図
【図５】図５は本発明の実施例の伝動機構の局部断面の正面拡大構成模式図
【発明を実施するための形態】
【００１７】
本発明書に開示した全ての特徴、或いは開示した全ての方法、過程中のステップは、互いに排斥する特徴或いはステップ以外に、いかなる方式で組み合わせることができる。    
【００１８】
図１〜５の前記事務室のインテリジェント省エネルギースイッチ制御器の構成図を参照し、主に壁主体１と、スイッチ２８と、プラグ２２と、二つの電灯３６とを含み、前記壁主体１の中にはスイッチ機構７４と、駆動機構７５と、コンセント機構７７と、伝動機構７６とが設置され、
前記スイッチ２８を押し、これにより前記スイッチ機構７４を通電させ、二つの電灯３６がつき、同時に前記スイッチ機構７４が前記伝動機構７６と連結され、前記プラグ２２を前記コンセント機構７７の中に差し込み、これにより前記コンセント機構７７が前記伝動機構７６と連結され、事務室の一定の区域の中に人がいないが前記電灯３６がまだついている時、前記駆動機構７５が作動し、これにより局部の区域の前記電灯３６を制御して前記電灯３６が自動的に消され、同時に前記駆動機構７５と前記伝動機構７６とが動力が伝達できるように連結されることを実現し、もし事務室に人がいない場合、前記駆動機構７５が作動して前記伝動機構７６を連動させて作動させ、これにより前記スイッチ機構７４と前記コンセント機構７７を作動させ、電源を切って、前記プラグ２２を推し出す。    
【００１９】
有益的には、前記駆動機構７５はモータ７と、駆動軸８と、摩擦輪９と、二つの電磁石５４と、二つの磁石５３と、二つの固定ブロック１０と、二つの持ち上げブロック５と、二つのひも３１と、連結輪４と、連結ブロック５０と、センサー２６とを含み、前記壁主体１の中には駆動チャンバ６が設置され、前記駆動チャンバ６の左端壁には前記モータ７が固定され、前記モータ７の右端には前記駆動軸８が動力が伝達できるように連結され、前記駆動軸８には前記摩擦輪９がスライドできるように連結され、前記摩擦輪９の左右端面にはいずれも前記駆動チャンバ６に連通している楕円溝４８が設置され、前記楕円溝４８の片側端面には前記電磁石５４が固定され、前記楕円溝４８の中にはまた前記電磁石５４と吸引し合うことができる前記磁石５３が設置され、前記駆動チャンバ６の中にはまた二つの前記持ち上げブロック５が設置され、前記持ち上げブロック５の上端には前記ひも３１が固定され、前記ひも３１の中には前記駆動チャンバ６に連通している前記リミット溝５２が設置され、前記駆動チャンバ６の中にはまた前記連結輪４が設置され、前記連結輪４の中には貫通孔４９が設置され、前記駆動軸８の右端が前記貫通孔４９の中に位置しており、且つ前記貫通孔４９と固定的に連結され、前記貫通孔４９の中にはまた前記連結ブロック５３が設置され、前記壁主体１の右端面には前記電磁石５４と前記モータ７とを制御して作動させることができる前記センサー２６が嵌められるように設置され、前記摩擦輪９の上端と前記駆動チャンバ６の下端壁にはいずれも前記固定ブロック１０が固定されている。
【００２０】
有益的には、前記伝動機構７６は伝動軸４７と、スライドブロック６３と、二つのばねブロック６２と、ネジ山ブロック６５と、二つの伸縮ばね６６と、連結ロッド６１と、連結柱６０と、リミットブロック５６と、昇降板５８と、二つの昇降ばね５５と、鎖６８と、復帰ばね２７と、摩擦ブロック６９とを含み、前記駆動チャンバ６の右端壁には左端が前記貫通孔４９の中に位置している前記伝動軸４７が回転できるように連結され、前記伝動軸４７の左端の中には前記貫通孔４９に連通しているスライド溝５１が設置され、前記連結ブロック５３の一端が前記スライド溝５１の中に位置しており、前記駆動チャンバ６の中にはまた前記伝動軸４７とスライドできるように連結された前記スライドブロック６３が設置され、前記スライドブロック６３の中には前記スライドブロック６３を貫通している昇降溝６４が設置され、前記昇降溝６４の左右端壁の中にはいずれも前記駆動チャンバ６と前記昇降溝６４の中とを連通しているばね溝７８が設置され、前記昇降溝６４の中には前記ネジ山ブロック６５が設置され、前記ばね溝７８の中には一端が前記ネジ山ブロック６５と連結されている前記ばねブロック６２と、前記ばねブロック６２を復帰させることができる前記伸縮ばね６６とが設置され、前記駆動チャンバ６の右端壁には一端が前記スライドブロック６３と連結されている前記復帰ばね２７が固定され、前記駆動チャンバ６の上端壁には下方へ開口した前記昇降チャンバ５９と貫通チャンバ６７とが設置され、前記駆動チャンバ６の上端壁の中にはまた摩擦溝７０が設置され、前記摩擦溝７０の中には前記摩擦ブロック６９が設置され、前記摩擦ブロック６９の左端には前記鎖６８が固定され、前記昇降チャンバ５９の中には前記昇降板５８と、前記昇降板５８を復帰させることができる二つの前記昇降ばね５５とが設置され、前記鎖６８の左端が前記昇降チャンバ５９の上端壁を貫通しており、且つ前記昇降板５８と連結され、前記昇降板５８の中には下方へ開口したリミットチャンバ５７が設置され、前記リミットチャンバ５７の中には前記リミットブロック５６が設置され、前記リミットブロック５６の中には下端が前記駆動チャンバ６の中に位置している前記連結柱６０が設置され、前記連結柱６０の下端には右端が左側の前記ばね溝７８の中に位置しており、且つ左側の前記ばねブロック６２と連結されている前記連結ロッド６１が固定されている。
【００２１】
有益的には、前記スイッチ機構７４は通電板４５と、二つの通電柱４６と、二つの電源線３と、二つの第一通電線３７と、二つの第二通電線３３と、二つの導電線３０と、二つの圧縮ばね３４と、二つの持ち上げ板３２と、固定板２９と、二つの推し動かしロッド４４と、二つの推し動かしブロック３９と、推し動かし板４０と、従動ギヤ４２と、従動軸４１と、Ｌロッド７３と、制限ばね７２とを含み、前記壁主体１の中には右方へ開口しており、且つ前記貫通孔４７と前記摩擦チャンバ７０と連通している前記回転チャンバ４３が設置され、前記回転チャンバ４３の左端壁には前記固定板２９が固定され、前記固定板２９の右端には前記スイッチ２８がヒンジにより連結され、前記固定板２８の上下両側にはいずれも前記推し動かしブロック３９が設置され、下側の前記推し動かしブロック３９の下端が前記摩擦ブロック６９と摩擦により連結され、前記推し動かしブロック３９の中には下方へ開口しており、且つ前記貫通チャンバ６７に連通している押し出し溝７１が設置され、前記押し出し溝７１の中には下端が前記貫通チャンバ６７の中に位置している前記Ｌロッド７３と、前記Ｌロッド７３を復帰させることができる前記制限ばね７２とが設置され、上側の前記推し動かしブロック３９の左端には前記推し動かし板４０が固定され、前記回転チャンバ４３の前後端壁の間には前記従動軸４１が回転できるように連結され、前記従動軸４１には前記推し動かし板４０と噛み合うように連結されている前記従動ギヤ４２が固定され、前記推し動かしブロック３９の左端には前記推し動かしロッド４４が固定され、且つ上側の前記推し動かしロッド４４が前記従動ギヤ４２と噛み合うように連結され、前記回転チャンバ４３の左端壁の中には移動チャンバ２が設置され、前記移動チャンバ２の中には前記通電板４５が設置され、前記推し動かしロッド４４の左端が前記移動チャンバ２の中に位置しており、且つ下側の前記推し動かしロッド４４の左端が前記通電板４５と固定的に連結され、前記通電板４５の左端面には二つの前記通電柱４６が固定され、前記移動チャンバ２の左端壁の中には二つの前記電源線３が設置され、前記電灯３６の上側には前記電源線３に連通している一つの前記第一通電線３７が設置され、前記壁主体１の中にはまた二つの持ち上げチャンバ３５が設置され、前記持ち上げチャンバ３５の下端壁には前記電灯３６に連結されている前記第二通電線３３が設置され、前記持ち上げチャンバ３５の中には前記持ち上げ板３２と、前記持ち上げ板３２を復帰させることができる前記圧縮ばね３４とが設置され、前記ひも３１の上端が前記持ち上げチャンバ３５の上端壁を貫通しており、且つ前記持ち上げ板３２と連結され、前記持ち上げ板３２にはまた前記電源線３に連通している前記導電線３０が設置されている。
【００２２】
有益的には、前記コンセント機構７７はコンセント２１と、二つの絶縁ロッド２４と、水平移動板２５と、水平移動ロッド１４と、水平移動柱３８と、固定環状板１８と、スライド環状板２０と、連結ばね１９と、細ひも１７と、駆動ブロック１３と、駆動ばね１６と、水平移動ばね１２とを含み、前記駆動チャンバ６の下端壁の中には右方へ開口した水平移動チャンバ１１が設置され、前記水平移動チャンバ１１の中には前記プラグ２２に差し込まれた前記コンセント２１が設置され、前記水平移動チャンバ１１の中にはまた上端が前記駆動チャンバ６の中に位置している前記水平移動ロッド１４が設置され、前記水平移動チャンバ１１の中には穴付きの前記水平移動板２５が設置され、前記水平移動ロッド１４の下端には右端が前記水平移動板２５を貫通しており、且つ前記水平移動板２５とスライドできるように連結されている前記水平移動柱３８が固定され、前記水平移動柱３８には前記固定環状板１８が固定され、且つ前記水平移動柱３８には前記スライド環状板２０がスライドできるように連結され、前記固定環状板１８と前記スライド環状板２０との間は前記連結ばね１９により連結され、前記水平移動ロッド１４の中には上方へ開口した押し出しチャンバ１５が設置され、前記押し出しチャンバ１５の中には上端が前記伝動軸４７とネジ山により連結されている前記駆動ブロック１３と、前記駆動ブロック１３を復帰させることができる前記駆動ばね１６とが設置され、前記駆動ブロック１３の下端には下端が前記スライド環状板２０と連結されている前記細ひも１７が固定され、前記水平移動チャンバ１１の左端壁には右端が前記水平移動ロッド１４と連結されている前記水平移動ばね１２が固定され、前記水平移動板２５の右端面には二つの前記絶縁ロッド２４が固定されている。
【００２３】
装置全体の機械作動の順番は：
【００２４】
１：スイッチ２８を下方へ押し、これにより下側の推し動かしブロック３９が左方へ運動し、これにより通電板４５が左方へ運動し、これにより通電柱４６が電源線３と連結され、これにより二つの電灯３６がつく。
【００２５】
２：下側の推し動かしブロック３９が左方へ運動し、これにより摩擦ブロック６９が左方へ運動し、これにより鎖６８が緩み、通電板４５が左方へ運動し、これにより上側の推し動かしロッド４４が左方へ運動し、これにより従動ギヤ４２が回転し、これにより推し動かし板４０と上側の推し動かしブロック３９が右方へ運動し、鎖６８が緩み、これにより昇降ばね５５が復帰し、これにより昇降板５８が下方へ運動し、これによりリミットブロック５６と、連結ロッド６０と、連結柱６１と、ばねブロック６２とが下方へ運動し、伸縮ばね６６が圧縮され、ネジ山ブロック６５が下方へ運動し、且つ前記伝動軸４７とネジ山により連結され、下側の推し動かしブロック３９が左方へ一番左側まで運動した時、Ｌロッド７３の下端が昇降溝６４の中に入る。
【００２６】
３：プラグ２２をコンセント２１の中に差し込んだ後、絶縁ロッド２５を連動させて左方へ運動させ、これにより水平移動板２５とスライド環状板２０とが左方へ運動し、これにより連結ばね１９が圧縮され、細ひも１７が緩み、これにより駆動ブロック１３が上方へ運動し、且つ伝動軸４７とネジ山により連結され、駆動ばね１６が復帰する。
【００２７】
４：事務室の一部分の区域に人がいない時、センサー２６が作動して一つの電磁石５４を制御して作動させ、これにより磁石５３と反発し合い、これにより磁石５３の一端がリミット溝５２の中に入り、この時にモータ７が回転して駆動軸８を連動させて回転させ、これにより摩擦輪９が回転し、これにより磁石５３が楕円溝４８の中でスライドし、これにより磁石５３により持ち上げブロック５を連動させて下方へ運動させ、これによりひも３１を引き動かし、これにより一つの持ち上げ板３２が上昇し、導電線３０と第二通電線３３との連結を断ち、これにより一つの電灯３６を消す。
【００２８】
５：摩擦輪９が回転して二つの固定ブロック１０を接触させる時、駆動軸８が摩擦輪９を連動させて回転させなくなり、且つ同時に駆動軸８が連結輪４を連動させて回転させ、連結ブロック５０とスライド溝５１の片側端壁とを接触させ、この時にモータ７が止まる。
【００２９】
６：もし事務室に人がいない場合、しかも電気を消すことを忘れる時、モータ７が回転し続け、これにより連結輪４が回転し、これにより連結ブロック５０が伝動軸４７を連動させて回転させ、これによりネジ山ブロック６５と駆動ブロック１３とが右方へ運動し、ネジ山ブロック６５が右方へ運動し、これによりＬロッド７３と下側の推し動かしブロック３９とが右方へ運動し、これにより下側の推し動かしロッド４４と通電板４５とが右方へ運動し、これにより二つの電源線３が通電しなくなり、通電板４５が右方へ運動して上側の推し動かしロッド４４を右方へ運動させ、これにより従動ギヤ４２が回転し、これにより上側の推し動かしブロック３９と推し動かし板４０とが左方へ運動し、これにより下側の推し動かしブロック３９の運動のもとでスイッチ２８が回転し、下側の推し動かしブロック３９が右方へ運動して摩擦ブロック６９を連動させて右方へ運動させ、鎖６８により昇降板５８を連動させて上方へ運動させ、これによりばねブロック６２とネジ山ブロック６５とが上方へ運動し、推し動かしブロック３９が一番右側まで運動した時、ネジ山ブロック６５が伝動軸４７から離脱し、またネジ山ブロック６５がＬロッド７３を昇降溝６４から押し出し、同時にスライドブロック６３が復帰ばね２７の作用のもとで復帰する。
【００３０】
７：駆動ブロック１３が右方へ運動し、これにより水平移動ロッド１４と、水平移動柱３８と、固定環状板１８と、スライド環状板２０と、水平移動板２５と、絶縁ロッド２４とが右方へ運動し、これによりプラグ２２がコンセント２２から離れ、この時に連結ばね１９が復帰し、再びスライド環状板２０を右方へ運動させ、これにより駆動ブロック１３が下方へ運動し、これにより駆動ブロック１３と伝動軸４７とが分離し、これにより水平移動ばね１２が水平移動ロッド１４を連動させて復帰させ、これにより事務室の電気が自動的に消されることを実現する。
【００３１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020198286.tif 000003
【図２】
2020198286.tif 000004
【図３】
2020198286.tif 000005
【図４】
2020198286.tif 000006
【図５】
2020198286.tif 000007
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
正面視で、壁主体と、スイッチと、プラグと、二つのライトとを含み、前記壁主体の中には前記スイッチが長時間のオン状態におくと自動的に切られることができるスイッチ機構が設置され、事務室の電気を節約する目的を達成し、前記壁主体の中には装置全体の運行に動力を提供する駆動機構が設置され、前記駆動機構が異なる区域のライトのスイッチを制御でき、これにより人がいないところのライトを自動的に消すことに便利を与え、前記壁主体の中には駆動チャンバが設置され、前記駆動チャンバの左端壁にはモータが固定され、前記モータの右端には駆動軸が動力が伝達できるように連結され、前記駆動軸には摩擦輪がスライドできるように連結され、前記摩擦輪の左右端面にはいずれも前記駆動チャンバに連通している楕円溝が設置され、前記楕円溝の片側端面には電磁石が固定され、前記楕円溝の中にはまた前記電磁石と吸引し合うことができる磁石が設置され、前記駆動チャンバの中にはまた二つの持ち上げブロックが設置され、前記持ち上げブロックの上端にはひもが固定され、前記持ち上げブロックの中には前記駆動チャンバと連通するリミット溝が形成され、前記駆動チャンバの中にはまた連結輪が設置され、前記連結輪の中には貫通孔が設置され、前記駆動軸の右端が前記貫通孔の中に位置しており、且つ前記貫通孔と固定的に連結され、前記貫通孔の中にはまた連結ブロックが設置され、前記壁主体の右端面には前記電磁石と前記モータとを制御して作動させることができるセンサーが嵌められるように設置され、前記摩擦輪の上端と前記駆動チャンバの下端壁にはいずれも固定ブロックが固定され、前記摩擦輪の回転と磁石の伝動により前記持ち上げブロックと前記ひもの移動を制御し、これにより部分の前記ライトの開閉を制御し、前記駆動チャンバの下端壁の中にはコンセント機構が設置され、退勤した場合又は事務室に人がいない場合、前記スイッチ機構が全部の前記ライトを消すと同時に、前記コンセント機構が自動的に前記プラグと前記コンセント機構との連結を断ち、前記プラグを抜き忘れることを避け、前記駆動チャンバの中にはまた前記駆動機構が生じた動力を前記スイッチ機構と前記コンセント機構とに伝送できる伝動機構が設置され、これにより同時に前記スイッチ機構と前記コンセント機構とを制御して作動させる目的を達成することを特徴とする事務室のインテリジェント省エネルギースイッチ制御器。
【請求項２】
前記駆動機構はまた二つの電磁石を含み、前記楕円溝の片側端面には前記電磁石が固定され、前記壁主体の右端面には前記電磁石と前記モータを制御して作動させることができるセンサーが植設されていることを特徴とする請求項１に記載の事務室のインテリジェント省エネルギースイッチ制御器。
【請求項３】
前記伝動機構は伝動軸を含み、前記駆動チャンバの右端壁には左端が前記貫通孔の中に位置している前記伝動軸が回転できるように連結され、前記伝動軸の左端の中には前記貫通孔に連通しているスライド溝が設置され、前記連結ブロックの一端が前記スライド溝の中に位置しており、前記駆動チャンバの中にはまた前記伝動軸とスライドできるように連結されたスライドブロックが設置され、前記スライドブロックの中には前記スライドブロックを貫通している昇降溝が設置され、前記昇降溝の左右端壁の中にはいずれも前記駆動チャンバと前記昇降溝の中とを連通しているばね溝が設置され、前記昇降溝の中には下端が前記伝動軸とネジ山で連結できるネジ山ブロックが設置され、前記ばね溝の中には一端が前記ネジ山ブロックと連結されているばねブロックと、前記ばねブロックを復帰させることができる伸縮ばねとが設置され、前記駆動チャンバの右端壁には一端が前記スライドブロックと連結されている前記復帰ばねが固定され、前記駆動チャンバの上端壁には下方へ開口した昇降チャンバと貫通チャンバとが設置され、前記駆動チャンバの上端壁の中にはまた摩擦溝が設置され、前記摩擦溝の中には摩擦ブロックが設置され、前記摩擦ブロックの左端には鎖が固定され、前記昇降チャンバの中には昇降板と、前記昇降板を復帰させることができる二つの昇降ばねとが設置され、前記鎖の左端が前記昇降チャンバの上端壁を貫通しており、且つ前記昇降板と連結され、前記昇降板の中には下方へ開口したリミットチャンバが設置され、前記リミットチャンバの中にはリミットブロックが設置され、前記リミットブロックの中には下端が前記駆動チャンバの中に位置している連結柱が設置され、前記連結柱の下端には右端が左側の前記ばね溝の中に位置しており、且つ左側の前記ばねブロックと連結されている連結ロッドが固定されていることを特徴とする請求項１に記載の事務室のインテリジェント省エネルギースイッチ制御器。
【請求項４】
前記スイッチ機構は通電板と、二つの通電柱と、二つの電源線と、二つの第一通電線と、二つの第二通電線と、二つの導電線と、二つの圧縮ばねと、二つの持ち上げ板と、固定板と、二つの推し動かしロッドと、二つの推し動かしブロックと、推し動かし板と、従動ギヤと、従動軸と、Ｌロッドと、制限ばねとを含み、前記壁主体の中には右方に開口し且つ前記貫通孔と前記摩擦溝とを連通する回転チャンバが設置され、前記回転チャンバの左端壁には前記固定板が固定され、前記固定板の右端には前記スイッチがヒンジにより連結され、前記固定板の上下両側にはいずれも前記推し動かしブロックが設置され、下側の前記推し動かしブロックの下端が前記摩擦ブロックと摩擦により連結され、下側の前記推し動かしブロックの中には下方に開口し且つ前記貫通チャンバと連通する押し出し溝が形成され、前記押し出し溝の中には上端が前記押し出し溝の中に位置し且つ下端が前記貫通チャンバの中に位置する前記Ｌロッドと、前記Ｌロッドを復帰させることができる前記制限ばねとが設置され、上側の前記推し動かしブロックの左端には前記推し動かし板が固定され、前記回転チャンバの前後端壁の間には前記従動軸が回転できるように連結され、前記従動軸には前記推し動かし板と噛み合うように連結されている前記従動ギヤが固定され、前記推し動かしブロックの左端には前記推し動かしロッドが固定され、且つ上側の前記推し動かしロッドが前記従動ギヤと噛み合うように連結され、前記回転チャンバの左端壁の中には移動チャンバが設置され、前記移動チャンバの中には前記通電板が設置され、前記推し動かしロッドの左端が前記移動チャンバの中に位置しており、且つ下側の前記推し動かしロッドの左端が前記通電板と固定的に連結され、前記通電板の左端面には二つの前記通電柱が固定され、前記移動チャンバの左端壁の中には二つの前記電源線が設置され、前記ライトの上側には前記電源線に連通している一つの前記第一通電線が設置され、前記壁主体の中にはまた二つの持ち上げチャンバが設置され、前記持ち上げチャンバの下端壁には前記ライトに連結されている前記第二通電線が設置され、前記持ち上げチャンバの中には前記持ち上げ板と、前記持ち上げ板を復帰させることができる前記圧縮ばねとが設置され、前記ひもの上端が前記持ち上げチャンバの上端壁を貫通しており、且つ前記持ち上げ板と連結され、前記持ち上げ板にはまた前記電源線に連通している前記導電線が設置されていることを特徴とする請求項３に記載の事務室のインテリジェント省エネルギースイッチ制御器。
【請求項５】
前記コンセント機構はコンセントと、二つの絶縁ロッドと、水平移動板と、水平移動ロッドと、水平移動柱と、固定環状板と、スライド環状板と、連結ばねと、細ひもと、駆動ブロックと、駆動ばねと、水平移動ばねとを含み、前記駆動チャンバの下端壁の中には右方へ開口した水平移動チャンバが設置され、前記水平移動チャンバの中には前記プラグに差し込まれた前記コンセントが設置され、前記水平移動チャンバの中にはまた上端が前記駆動チャンバの中に位置している前記水平移動ロッドが設置され、前記水平移動チャンバの中には前記水平移動チャンバの中でスライドでき且つ穴付きの前記水平移動板が設置され、前記水平移動ロッドの下端には右端が前記水平移動板を貫通しており、且つ前記水平移動板とスライドできるように連結されている前記水平移動柱が固定され、前記水平移動柱には前記固定環状板が固定され、且つ前記水平移動柱には前記スライド環状板がスライドできるように連結され、前記固定環状板と前記スライド環状板との間は前記連結ばねにより連結され、前記水平移動ロッドの中には上方へ開口した押し出しチャンバが設置され、前記押し出しチャンバの中には上端が前記伝動軸とネジ山により連結されている前記駆動ブロックと、前記駆動ブロックを復帰させることができる前記駆動ばねとが設置され、前記駆動ブロックの下端には下端が前記スライド環状板と連結されている前記細ひもが固定され、前記水平移動チャンバの左端壁には右端が前記水平移動ロッドと連結されている前記水平移動ばねが固定され、前記水平移動板の右端面には二つの前記絶縁ロッドが固定されていることを特徴とする請求項３に記載の事務室のインテリジェント省エネルギースイッチ制御器。
【請求項６】
前記摩擦輪と前記駆動軸との間の摩擦力が前記圧縮ばねの弾力よりはるかに大きいことを特徴とする請求項４に記載の事務室のインテリジェント省エネルギースイッチ制御器。
【請求項７】
初期状態において前記第二通電線と前記導電線とが通電している状態におくことを特徴とする請求項４に記載の事務室のインテリジェント省エネルギースイッチ制御器。
【請求項８】
二つの前記昇降ばねの弾力が二つの前記伸縮ばねの弾力よりはるかに大きいことを特徴とする請求項３に記載の事務室のインテリジェント省エネルギースイッチ制御器。
【手続補正２】
【補正対象書類名】明細書
【補正対象項目名】全文
【補正方法】変更
【補正の内容】
【発明の詳細な説明】
【技術分野】
【０００１】
本発明は省エネルギー分野を取り上げて、具体的には事務室のインテリジェント省エネルギースイッチ制御器である。
【背景技術】
【０００２】
現在、家庭の電気使用量が徐々に増え、電力の提供が日々厳しくなり、国家が段階制電気料金の政策を施し、人々に電気を節約することと、電気を合理的に使用することの重要性を認識させ、人々が退勤した後、勤め人が急いで出かけるため、いつも事務室の電気を消すことを忘れ、これにより事務室の電気が一晩中ついたまま、電力の浪費をもたらし、資源の節約に不利であり、また勤め人が事務室で残業する時、人が少ないのに、全部の電気をつけ、必要ではないところでも照明を提供し続けることは、すなわち電気エネルギーを浪費する。
【先行技術文献】
【特許文献】
【０００３】
【特許文献１】中国特許出願公開第１０３９０６３２６号明細書
【発明の概要】
【発明が解決しようとする課題】
【０００４】
本発明は事務室のインテリジェント省エネルギースイッチ制御器を提供し、電源を切ることを忘れて電気エネルギーを浪費する問題を解決し、省エネルギーの目的を達成する。
【課題を解決するための手段】
【０００５】
本発明は以下の技術プランによって実現される：
【０００６】
本発明は壁主体と、スイッチと、プラグと、二つのライトとを含み、前記壁主体の中には前記スイッチが長時間のオン状態におくと自動的に切られることができるスイッチ機構が設置され、事務室の電気を節約する目的を達成し、前記壁主体の中には装置全体の運行に動力を提供する駆動機構が設置され、前記駆動機構が異なる区域のライトのスイッチを制御でき、これにより人がいないところのライトを自動的に消すことに便利を与え、前記壁主体の中には駆動チャンバが設置され、前記駆動チャンバの左端壁にはモータが固定され、前記モータの右端には駆動軸が動力が伝達できるように連結され、前記駆動軸には摩擦輪がスライドできるように連結され、前記摩擦輪の左右端面にはいずれも前記駆動チャンバに連通している楕円溝が設置され、前記楕円溝の片側端面には電磁石が固定され、前記楕円溝の中にはまた前記電磁石と吸引し合うことができる磁石が設置され、前記駆動チャンバの中にはまた二つの持ち上げブロックが設置され、前記持ち上げブロックの上端にはひもが固定され、前記持ち上げブロックの中には前記駆動チャンバと連通するリミット溝が形成され、前記駆動チャンバの中にはまた連結輪が設置され、前記連結輪の中には貫通孔が設置され、前記駆動軸の右端が前記貫通孔の中に位置しており、且つ前記貫通孔と固定的に連結され、前記貫通孔の中にはまた連結ブロックが設置され、前記壁主体の右端面には前記電磁石と前記モータとを制御して作動させることができるセンサーが嵌められるように設置され、前記摩擦輪の上端と前記駆動チャンバの下端壁にはいずれも固定ブロックが固定され、前記摩擦輪の回転と磁石の伝動により前記持ち上げブロックと前記ひもの移動を制御し、これにより部分の前記ライトの開閉を制御し、前記駆動チャンバの下端壁の中にはコンセント機構が設置され、退勤した場合又は事務室に人がいない場合、前記スイッチ機構が全部の前記ライトを消すと同時に、前記コンセント機構が自動的に前記プラグと前記コンセント機構との連結を断ち、前記プラグを抜き忘れることを避け、前記駆動チャンバの中にはまた前記駆動機構が生じた動力を前記スイッチ機構と前記コンセント機構とに伝送できる伝動機構が設置され、これにより同時に前記スイッチ機構と前記コンセント機構とを制御して作動させる目的を達成する。
【０００７】
更に、前記駆動機構はまた二つの電磁石を含み、前記楕円溝の片側端面には前記電磁石が固定され、前記壁主体の右端面には前記電磁石と前記モータを制御して作動させることができるセンサーが植設されている。
【０００８】
更に、前記伝動機構は伝動軸を含み、前記駆動チャンバの右端壁には左端が前記貫通孔の中に位置している前記伝動軸が回転できるように連結され、前記伝動軸の左端の中には前記貫通孔に連通しているスライド溝が設置され、前記連結ブロックの一端が前記スライド溝の中に位置しており、前記駆動チャンバの中にはまた前記伝動軸とスライドできるように連結されたスライドブロックが設置され、前記スライドブロックの中には前記スライドブロックを貫通している昇降溝が設置され、前記昇降溝の左右端壁の中にはいずれも前記駆動チャンバと前記昇降溝の中とを連通しているばね溝が設置され、前記昇降溝の中には下端が前記伝動軸とネジ山で連結できるネジ山ブロックが設置され、前記ばね溝の中には一端が前記ネジ山ブロックと連結されているばねブロックと、前記ばねブロックを復帰させることができる伸縮ばねとが設置され、前記駆動チャンバの右端壁には一端が前記スライドブロックと連結されている前記復帰ばねが固定され、前記駆動チャンバの上端壁には下方へ開口した昇降チャンバと貫通チャンバとが設置され、前記駆動チャンバの上端壁の中にはまた摩擦溝が設置され、前記摩擦溝の中には摩擦ブロックが設置され、前記摩擦ブロックの左端には鎖が固定され、前記昇降チャンバの中には昇降板と、前記昇降板を復帰させることができる二つの昇降ばねとが設置され、前記鎖の左端が前記昇降チャンバの上端壁を貫通しており、且つ前記昇降板と連結され、前記昇降板の中には下方へ開口したリミットチャンバが設置され、前記リミットチャンバの中にはリミットブロックが設置され、前記リミットブロックの中には下端が前記駆動チャンバの中に位置している連結柱が設置され、前記連結柱の下端には右端が左側の前記ばね溝の中に位置しており、且つ左側の前記ばねブロックと連結されている連結ロッドが固定されている。
【０００９】
更に、前記スイッチ機構は通電板と、二つの通電柱と、二つの電源線と、二つの第一通電線と、二つの第二通電線と、二つの導電線と、二つの圧縮ばねと、二つの持ち上げ板と、固定板と、二つの推し動かしロッドと、二つの推し動かしブロックと、推し動かし板と、従動ギヤと、従動軸と、Ｌロッドと、制限ばねとを含み、前記壁主体の中には右方に開口し且つ前記貫通孔と前記摩擦溝とを連通する回転チャンバが設置され、前記回転チャンバの左端壁には前記固定板が固定され、前記固定板の右端には前記スイッチがヒンジにより連結され、前記固定板の上下両側にはいずれも前記推し動かしブロックが設置され、下側の前記推し動かしブロックの下端が前記摩擦ブロックと摩擦により連結され、下側の前記推し動かしブロックの中には下方に開口し且つ前記貫通チャンバと連通する押し出し溝が形成され、前記押し出し溝の中には上端が前記押し出し溝の中に位置し且つ下端が前記貫通チャンバの中に位置する前記Ｌロッドと、前記Ｌロッドを復帰させることができる前記制限ばねとが設置され、上側の前記推し動かしブロックの左端には前記推し動かし板が固定され、前記回転チャンバの前後端壁の間には前記従動軸が回転できるように連結され、前記従動軸には前記推し動かし板と噛み合うように連結されている前記従動ギヤが固定され、前記推し動かしブロックの左端には前記推し動かしロッドが固定され、且つ上側の前記推し動かしロッドが前記従動ギヤと噛み合うように連結され、前記回転チャンバの左端壁の中には移動チャンバが設置され、前記移動チャンバの中には前記通電板が設置され、前記推し動かしロッドの左端が前記移動チャンバの中に位置しており、且つ下側の前記推し動かしロッドの左端が前記通電板と固定的に連結され、前記通電板の左端面には二つの前記通電柱が固定され、前記移動チャンバの左端壁の中には二つの前記電源線が設置され、前記ライトの上側には前記電源線に連通している一つの前記第一通電線が設置され、前記壁主体の中にはまた二つの持ち上げチャンバが設置され、前記持ち上げチャンバの下端壁には前記ライトに連結されている前記第二通電線が設置され、前記持ち上げチャンバの中には前記持ち上げ板と、前記持ち上げ板を復帰させることができる前記圧縮ばねとが設置され、前記ひもの上端が前記持ち上げチャンバの上端壁を貫通しており、且つ前記持ち上げ板と連結され、前記持ち上げ板にはまた前記電源線に連通している前記導電線が設置されている。
【００１０】
更に、前記コンセント機構はコンセントと、二つの絶縁ロッドと、水平移動板と、水平移動ロッドと、水平移動柱と、固定環状板と、スライド環状板と、連結ばねと、細ひもと、駆動ブロックと、駆動ばねと、水平移動ばねとを含み、前記駆動チャンバの下端壁の中には右方へ開口した水平移動チャンバが設置され、前記水平移動チャンバの中には前記プラグに差し込まれた前記コンセントが設置され、前記水平移動チャンバの中にはまた上端が前記駆動チャンバの中に位置している前記水平移動ロッドが設置され、前記水平移動チャンバの中には前記水平移動チャンバの中でスライドでき且つ穴付きの前記水平移動板が設置され、前記水平移動ロッドの下端には右端が前記水平移動板を貫通しており、且つ前記水平移動板とスライドできるように連結されている前記水平移動柱が固定され、前記水平移動柱には前記固定環状板が固定され、且つ前記水平移動柱には前記スライド環状板がスライドできるように連結され、前記固定環状板と前記スライド環状板との間は前記連結ばねにより連結され、前記水平移動ロッドの中には上方へ開口した押し出しチャンバが設置され、前記押し出しチャンバの中には上端が前記伝動軸とネジ山により連結されている前記駆動ブロックと、前記駆動ブロックを復帰させることができる前記駆動ばねとが設置され、前記駆動ブロックの下端には下端が前記スライド環状板と連結されている前記細ひもが固定され、前記水平移動チャンバの左端壁には右端が前記水平移動ロッドと連結されている前記水平移動ばねが固定され、前記水平移動板の右端面には二つの前記絶縁ロッドが固定されている。
【００１１】
更に、前記摩擦輪と前記駆動軸との間の摩擦力が前記圧縮ばねの弾力よりはるかに大きい。
【００１２】
更に、初期状態において前記第二通電線と前記導電線とが通電している状態におく。
【００１３】
更に、二つの前記昇降ばねの弾力が二つの前記伸縮ばねの弾力よりはるかに大きい。
【発明の効果】
【００１４】
本発明の有益効果は：該装置は構成が簡単で、操作が便利で、該装置は事務室に人がいない時に電気がつく場合、自動的に電源を切って、電気使用量をはるかに節約し、これにより省エネルギーの目的を達成し、しかも自動的に且つ選択的に部分の区域のライトを消すことができ、これにより電気を節約でき、機械の伝動により作業の効率を向上させる。
【図面の簡単な説明】
【００１５】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の実施例の構成模式図
【図２】図２は本発明の実施例の摩擦輪の左側面拡大構成模式図
【図３】図３は本発明の実施例の連結輪のところの構成全断面の左側面拡大模式図
【図４】図４は本発明の実施例の駆動機構の局部断面の正面拡大構成模式図
【図５】図５は本発明の実施例の伝動機構の局部断面の正面拡大構成模式図
【発明を実施するための形態】
【００１７】
本発明書に開示した全ての特徴、或いは開示した全ての方法、過程中のステップは、互いに排斥する特徴或いはステップ以外に、いかなる方式で組み合わせることができる。
【００１８】
図１〜５の前記事務室のインテリジェント省エネルギースイッチ制御器の構成図を参照し、主に壁主体１と、スイッチ２８と、プラグ２２と、二つのライト３６とを含み、前記壁主体１の中にはスイッチ機構７４と、駆動機構７５と、コンセント機構７７と、伝動機構７６とが設置され、前記スイッチ２８を押し、これにより前記スイッチ機構７４を通電させ、二つのライト３６がつき、同時に前記スイッチ機構７４が前記伝動機構７６と連結され、前記プラグ２２を前記コンセント機構７７の中に差し込み、これにより前記コンセント機構７７が前記伝動機構７６と連結され、事務室の一定の区域の中に人がいないが前記ライト３６がまだついている時、前記駆動機構７５が作動し、これにより局部の区域の前記ライト３６を制御して前記ライト３６が自動的に消され、同時に前記駆動機構７５と前記伝動機構７６とが動力が伝達できるように連結されることを実現し、もし事務室に人がいない場合、前記駆動機構７５が作動して前記伝動機構７６を連動させて作動させ、これにより前記スイッチ機構７４と前記コンセント機構７７を作動させ、電源を切って、前記プラグ２２を推し出す。
【００１９】
有益的には、前記駆動機構７５はモータ７と、駆動軸８と、摩擦輪９と、二つの電磁石５４と、二つの磁石５３と、二つの固定ブロック１０と、二つの持ち上げブロック５と、二つのひも３１と、連結輪４と、連結ブロック５０と、センサー２６とを含み、前記壁主体１の中には駆動チャンバ６が設置され、前記駆動チャンバ６の左端壁にはモータ７が固定され、前記モータ７の右端には駆動軸８が動力が伝達できるように連結され、前記駆動軸８には摩擦輪９がスライドできるように連結され、前記摩擦輪９の左右端面にはいずれも前記駆動チャンバ６に連通している楕円溝４８が設置され、前記楕円溝４８の片側端面には電磁石５４が固定され、前記楕円溝４８の中にはまた前記電磁石５４と吸引し合うことができる磁石５３が設置され、前記駆動チャンバ６の中にはまた二つの持ち上げブロック５が設置され、前記持ち上げブロック５の上端にはひも３１が固定され、前記持ち上げブロック５の中には前記駆動チャンバ６と連通するリミット溝５２が形成され、前記駆動チャンバ６の中にはまた連結輪４が設置され、前記連結輪４の中には貫通孔４９が設置され、前記駆動軸８の右端が前記貫通孔４９の中に位置しており、且つ前記貫通孔４９と固定的に連結され、前記貫通孔４９の中にはまた連結ブロック５３が設置され、前記壁主体１の右端面には前記電磁石５４と前記モータ７とを制御して作動させることができるセンサー２６が嵌められるように設置され、前記摩擦輪９の上端と前記駆動チャンバ６の下端壁にはいずれも固定ブロック１０が固定されている。
【００２０】
有益的には、前記伝動機構７６は伝動軸４７と、スライドブロック６３と、二つのばねブロック６２と、ネジ山ブロック６５と、二つの伸縮ばね６６と、連結ロッド６１と、連結柱６０と、リミットブロック５６と、昇降板５８と、二つの昇降ばね５５と、鎖６８と、復帰ばね２７と、摩擦ブロック６９とを含み、前記駆動チャンバ６の右端壁には左端が前記貫通孔４９の中に位置している前記伝動軸４７が回転できるように連結され、前記伝動軸４７の左端の中には前記貫通孔４９に連通しているスライド溝５１が設置され、前記連結ブロック５３の一端が前記スライド溝５１の中に位置しており、前記駆動チャンバ６の中にはまた前記伝動軸４７とスライドできるように連結されたスライドブロック６３が設置され、前記スライドブロック６３の中には前記スライドブロック６３を貫通している昇降溝６４が設置され、前記昇降溝６４の左右端壁の中にはいずれも前記駆動チャンバ６と前記昇降溝６４の中とを連通しているばね溝７８が設置され、前記昇降溝６４の中には下端が前記伝動軸４７とネジ山で連結できるネジ山ブロック６５が設置され、前記ばね溝７８の中には一端が前記ネジ山ブロック６５と連結されているばねブロック６２と、前記ばねブロック６２を復帰させることができる伸縮ばね６６とが設置され、前記駆動チャンバ６の右端壁には一端が前記スライドブロック６３と連結されている前記復帰ばね２７が固定され、前記駆動チャンバ６の上端壁には下方へ開口した昇降チャンバ５９と貫通チャンバ６７とが設置され、前記駆動チャンバ６の上端壁の中にはまた摩擦溝７０が設置され、前記摩擦溝７０の中には摩擦ブロック６９が設置され、前記摩擦ブロック６９の左端には鎖６８が固定され、前記昇降チャンバ５９の中には昇降板５８と、前記昇降板５８を復帰させることができる二つの昇降ばね５５とが設置され、前記鎖６８の左端が前記昇降チャンバ５９の上端壁を貫通しており、且つ前記昇降板５８と連結され、前記昇降板５８の中には下方へ開口したリミットチャンバ５７が設置され、前記リミットチャンバ５７の中にはリミットブロック５６が設置され、前記リミットブロック５６の中には下端が前記駆動チャンバ６の中に位置している連結柱６０が設置され、前記連結柱６０の下端には右端が左側の前記ばね溝７８の中に位置しており、且つ左側の前記ばねブロック６２と連結されている連結ロッド６１が固定されている。
【００２１】
有益的には、前記スイッチ機構７４は通電板４５と、二つの通電柱４６と、二つの電源線３と、二つの第一通電線３７と、二つの第二通電線３３と、二つの導電線３０と、二つの圧縮ばね３４と、二つの持ち上げ板３２と、固定板２９と、二つの推し動かしロッド４４と、二つの推し動かしブロック３９と、推し動かし板４０と、従動ギヤ４２と、従動軸４１と、Ｌロッド７３と、制限ばね７２とを含み、前記壁主体１の中には右方に開口し且つ前記貫通孔４７と前記摩擦溝７０とを連通する回転チャンバ４３が設置され、前記回転チャンバ４３の左端壁には前記固定板２９が固定され、前記固定板２９の右端には前記スイッチ２８がヒンジにより連結され、前記固定板２８の上下両側にはいずれも前記推し動かしブロック３９が設置され、下側の前記推し動かしブロック３９の下端が前記摩擦ブロック６９と摩擦により連結され、下側の前記推し動かしブロック３９の中には下方に開口し且つ前記貫通チャンバ６７と連通する押し出し溝７１が形成され、前記押し出し溝７１の中には上端が前記押し出し溝７１の中に位置し且つ下端が前記貫通チャンバ６７の中に位置する前記Ｌロッド７３と、前記Ｌロッド７３を復帰させることができる前記制限ばね７２とが設置され、上側の前記推し動かしブロック３９の左端には前記推し動かし板４０が固定され、前記回転チャンバ４３の前後端壁の間には前記従動軸４１が回転できるように連結され、前記従動軸４１には前記推し動かし板４０と噛み合うように連結されている前記従動ギヤ４２が固定され、前記推し動かしブロック３９の左端には前記推し動かしロッド４４が固定され、且つ上側の前記推し動かしロッド４４が前記従動ギヤ４２と噛み合うように連結され、前記回転チャンバ４３の左端壁の中には移動チャンバ２が設置され、前記移動チャンバ２の中には前記通電板４５が設置され、前記推し動かしロッド４４の左端が前記移動チャンバ２の中に位置しており、且つ下側の前記推し動かしロッド４４の左端が前記通電板４５と固定的に連結され、前記通電板４５の左端面には二つの前記通電柱４６が固定され、前記移動チャンバ２の左端壁の中には二つの前記電源線３が設置され、前記ライト３６の上側には前記電源線３に連通している一つの前記第一通電線３７が設置され、前記壁主体１の中にはまた二つの持ち上げチャンバ３５が設置され、前記持ち上げチャンバ３５の下端壁には前記ライト３６に連結されている前記第二通電線３３が設置され、前記持ち上げチャンバ３５の中には前記持ち上げ板３２と、前記持ち上げ板３２を復帰させることができる前記圧縮ばね３４とが設置され、前記ひも３１の上端が前記持ち上げチャンバ３５の上端壁を貫通しており、且つ前記持ち上げ板３２と連結され、前記持ち上げ板３２にはまた前記電源線３に連通している前記導電線３０が設置されている。
【００２２】
有益的には、前記コンセント機構７７はコンセント２１と、二つの絶縁ロッド２４と、水平移動板２５と、水平移動ロッド１４と、水平移動柱３８と、固定環状板１８と、スライド環状板２０と、連結ばね１９と、細ひも１７と、駆動ブロック１３と、駆動ばね１６と、水平移動ばね１２とを含み、前記駆動チャンバ６の下端壁の中には右方へ開口した水平移動チャンバ１１が設置され、前記水平移動チャンバ１１の中には前記プラグ２２に差し込まれた前記コンセント２１が設置され、前記水平移動チャンバ１１の中にはまた上端が前記駆動チャンバ６の中に位置している前記水平移動ロッド１４が設置され、前記水平移動チャンバ１１の中には前記水平移動チャンバ１１の中でスライドでき且つ穴付きの前記水平移動板２５が設置され、前記水平移動ロッド１４の下端には右端が前記水平移動板２５を貫通しており、且つ前記水平移動板２５とスライドできるように連結されている前記水平移動柱３８が固定され、前記水平移動柱３８には前記固定環状板１８が固定され、且つ前記水平移動柱３８には前記スライド環状板２０がスライドできるように連結され、前記固定環状板１８と前記スライド環状板２０との間は前記連結ばね１９により連結され、前記水平移動ロッド１４の中には上方へ開口した押し出しチャンバ１５が設置され、前記押し出しチャンバ１５の中には上端が前記伝動軸４７とネジ山により連結されている前記駆動ブロック１３と、前記駆動ブロック１３を復帰させることができる前記駆動ばね１６とが設置され、前記駆動ブロック１３の下端には下端が前記スライド環状板２０と連結されている前記細ひも１７が固定され、前記水平移動チャンバ１１の左端壁には右端が前記水平移動ロッド１４と連結されている前記水平移動ばね１２が固定され、前記水平移動板２５の右端面には二つの前記絶縁ロッド２４が固定されている。
【００２３】
装置全体の機械作動の順番は：
【００２４】
１：スイッチ２８を下方へ押し、これにより下側の推し動かしブロック３９が左方へ運動し、これにより通電板４５が左方へ運動し、これにより通電柱４６が電源線３と連結され、これにより二つのライト３６がつく。
【００２５】
２：下側の推し動かしブロック３９が左方へ運動し、これにより摩擦ブロック６９が左方へ運動し、これにより鎖６８が緩み、通電板４５が左方へ運動し、これにより上側の推し動かしロッド４４が左方へ運動し、これにより従動ギヤ４２が回転し、これにより推し動かし板４０と上側の推し動かしブロック３９が右方へ運動し、鎖６８が緩み、これにより昇降ばね５５が復帰し、これにより昇降板５８が下方へ運動し、これによりリミットブロック５６と、連結ロッド６０と、連結柱６１と、ばねブロック６２とが下方へ運動し、伸縮ばね６６が圧縮され、ネジ山ブロック６５が下方へ運動し、且つ前記伝動軸４７とネジ山により連結され、下側の推し動かしブロック３９が左方へ一番左側まで運動した時、Ｌロッド７３の下端が昇降溝６４の中に入る。
【００２６】
３：プラグ２２をコンセント２１の中に差し込んだ後、絶縁ロッド２５を連動させて左方へ運動させ、これにより水平移動板２５とスライド環状板２０とが左方へ運動し、これにより連結ばね１９が圧縮され、細ひも１７が緩み、これにより駆動ブロック１３が上方へ運動し、且つ伝動軸４７とネジ山により連結され、駆動ばね１６が復帰する。
【００２７】
４：事務室の一部分の区域に人がいない時、センサー２６が作動して一つの電磁石５４を制御して作動させ、これにより磁石５３と反発し合い、これにより磁石５３の一端がリミット溝５２の中に入り、この時にモータ７が回転して駆動軸８を連動させて回転させ、これにより摩擦輪９が回転し、これにより磁石５３が楕円溝４８の中でスライドし、これにより磁石５３により持ち上げブロック５を連動させて下方へ運動させ、これによりひも３１を引き動かし、これにより一つの持ち上げ板３２が上昇し、導電線３０と第二通電線３３との連結を断ち、これにより一つのライト３６を消す。
【００２８】
５：摩擦輪９が回転して二つの固定ブロック１０を接触させる時、駆動軸８が摩擦輪９を連動させて回転させなくなり、且つ同時に駆動軸８が連結輪４を連動させて回転させ、連結ブロック５０とスライド溝５１の片側端壁とを接触させ、この時にモータ７が止まる。
【００２９】
６：もし事務室に人がいない場合、しかも電気を消すことを忘れる時、モータ７が回転し続け、これにより連結輪４が回転し、これにより連結ブロック５０が伝動軸４７を連動させて回転させ、これによりネジ山ブロック６５と駆動ブロック１３とが右方へ運動し、ネジ山ブロック６５が右方へ運動し、これによりＬロッド７３と下側の推し動かしブロック３９とが右方へ運動し、これにより下側の推し動かしロッド４４と通電板４５とが右方へ運動し、これにより二つの電源線３が通電しなくなり、通電板４５が右方へ運動して上側の推し動かしロッド４４を右方へ運動させ、これにより従動ギヤ４２が回転し、これにより上側の推し動かしブロック３９と推し動かし板４０とが左方へ運動し、これにより下側の推し動かしブロック３９の運動のもとでスイッチ２８が回転し、下側の推し動かしブロック３９が右方へ運動して摩擦ブロック６９を連動させて右方へ運動させ、鎖６８により昇降板５８を連動させて上方へ運動させ、これによりばねブロック６２とネジ山ブロック６５とが上方へ運動し、推し動かしブロック３９が一番右側まで運動した時、ネジ山ブロック６５が伝動軸４７から離脱し、またネジ山ブロック６５がＬロッド７３を昇降溝６４から押し出し、同時にスライドブロック６３が復帰ばね２７の作用のもとで復帰する。
【００３０】
７：駆動ブロック１３が右方へ運動し、これにより水平移動ロッド１４と、水平移動柱３８と、固定環状板１８と、スライド環状板２０と、水平移動板２５と、絶縁ロッド２４とが右方へ運動し、これによりプラグ２２がコンセント２２から離れ、この時に連結ばね１９が復帰し、再びスライド環状板２０を右方へ運動させ、これにより駆動ブロック１３が下方へ運動し、これにより駆動ブロック１３と伝動軸４７とが分離し、これにより水平移動ばね１２が水平移動ロッド１４を連動させて復帰させ、これにより事務室の電気が自動的に消されることを実現する。
【００３１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。